(57)【要約】【課題】  遠隔診断装置において、診断医から診断報告が所定時間を経過してもなされない場合に読影権を取り消す。【解決手段】  Ｓ１０１において、管理サーバ５に登録されている検査について、診断医によって読影権が取得されているか否かを判断し、読影権が取得されていない検査であれば、Ｓ１０２に進み診断用端末の検査リストに表示し、読影権が既に取得されている場合にはＳ１０３に進む。Ｓ１０３において、読影権を取得してから所定時間以上経過しているか否かを判断し、所定時間以上経過していればＳ１０２に進み、該当の診断医に対する読影権を取り消し、他の診断医が読影権を得られるように検査リストに表示する。また、所定時間以上経過していなければＳ１０４に進み、検査リストに表示しない。【選択図】図３
2005165762.tif 000002
【特許請求の範囲】
【請求項１】
検査を診断医に依頼し、診断医が管理サーバから読影権を取得した検査に対して所定時間内に診断結果報告を前記管理サーバに返信しない場合に、前記検査を別の診断医に提示する遠隔診断装置であって、前記管理サーバと、前記管理サーバに接続した診断依頼端末と、前記管理サーバに接続し検査リストを表示可能な複数の診断用端末と、該診断用端末において前記検査リスト中の検査に対する診断の読影権を取得する取得手段と、前記管理サーバにおいて前記読影権を取得しているにも拘らず前記所定時間に診断結果報告を返信しない診断医に対して前記読影権を取り消す取消手段とを備えたことを特徴とする遠隔診断装置。
【請求項２】
前記取消手段は診断医が前記読影権を失ったものとして処理し、前記検査を前記診断用端末に再表示する処理手段を有することを特徴とする請求項１に記載の遠隔診断装置。
【請求項３】
前記管理サーバが前記読影権を失ったものとして処理した場合には、前記管理サーバは該当の診断医に対して、前記読影権を失ったことを通知する通知手段を有することを特徴とする請求項２に記載の遠隔診断装置。
【請求項４】
前記診断用端末は診断医ごとに設けたことを特徴とする請求項１に記載の遠隔診断装置。
【請求項５】
検査を診断医に依頼し、診断医が管理サーバから読影権を取得した検査に対して所定時間内に診断結果報告を前記管理サーバに返信しない場合に、前記検査を別の診断医に提示する遠隔診断方法であって、前記管理サーバに登録されている検査について診断医によって読影権が取得されているか否かを判断する第１の判断工程と、前記読影権が既に取得されている場合に前記読影権を取得してから所定時間以上経過しているか否かを判断する第２の判断工程と、前記所定時間以上経過していれば該当の診断医に対する前記読影権を取り消し、他の診断医が読影権を得られるように表示する処理工程とを備えたことを特徴とする遠隔診断方法。
【請求項６】
請求項５に記載の遠隔診断方法をプログラムとして記憶した記録媒体。
【発明の詳細な説明】
【技術分野】
【０００１】
本発明は、複数の医師が連携して診断を行う遠隔診断装置及び診断方法に関するものである。
【背景技術】
【０００２】
従来、集団検診業務では検診センタ等の施設において、例えば胸部のＸ線画像を撮影し、診断医が診断を行った後に、万一に病変が存在する場合には、開業医院等の診療施設において、更なる精密検査を依頼している。
【０００３】
しかしながら、集団検診業務等における胸部の画像診断においては、検診時に撮影した大量の医療画像フィルムを短時間で診断し、診断結果報告を返送する必要がある。また、診断に携わる診断医の人数には限りがあるため、１人の診断医が診断すべき画像が多量となってしまう。
【０００４】
近年では、受光したＸ線量に応じて電荷に変換する素子を平面状に配置し、受光したＸ線をデジタル値として取り込み、平面画像を形成するＤＲ（放射線デジタル撮影システム）が発売されている。このＤＲの出現により撮影したＸ線画像をインターネットを介して送受信可能となり、先に述べた診断医の不足を補うために、撮影したＸ線画像をサーバに保存し、契約した遠隔地の診断医がその画像を読影する遠隔診断装置が検討されている。
【０００５】
上述の契約した診断医はインターネットを介してサーバにログインし、診断可能な検査リストを取得する。その検査リストの中から診断可能な検査を選択して読影権を取得し、読影結果報告をサーバに返信する。ただし、作業の重複を避けるため、或る診断医が一旦読影権を取得すると、他の診断医はその検査を診断可能な検査としてアクセスすることはできなくなる。
【０００６】
また特許文献１〜３には、このような様々な問題を解決する遠隔診断装置も開示されている。
【０００７】
【特許文献１】特開２００２−１０９０５３号公報
【特許文献２】特開２００２−１０９０５４号公報
【特許文献３】特開２００２−１４０６８５号公報
【発明の開示】
【発明が解決しようとする課題】
【０００８】
しかしながら、診断医は開業医の場合も多く、読影権を取得した直後に急患が入った等の理由により、読影結果報告を返信するまでに長時間を要したり、読影結果の返信を忘れたりすることもある。その結果、読影依頼者からクレームが入り、契約の破棄等の遠隔診断装置がビジネスとして成立しなくなる虞れがある。
【０００９】
本発明の目的は、上述の課題を解決し、一旦読影権を取得した診断においても、所定時間内に診断結果報告が返信されない場合には、その診断の読影権を自動的に取り消すことができる遠隔診断装置及び診断方法を提供することにある。
【課題を解決するための手段】
【００１０】
上述の目的を達成するための本発明に係る遠隔診断装置は、検査を診断医に依頼し、診断医が管理サーバから読影権を取得した検査に対して所定時間内に診断結果報告を前記管理サーバに返信しない場合に、前記検査を別の診断医に提示する遠隔診断装置であって、前記管理サーバと、前記管理サーバに接続した診断依頼端末と、前記管理サーバに接続し検査リストを表示可能な複数の診断用端末と、該診断用端末において前記検査リスト中の検査に対する診断の読影権を取得する取得手段と、前記管理サーバにおいて前記読影権を取得しているにも拘らず前記所定時間に診断結果報告を返信しない診断医に対して前記読影権を取り消す取消手段とを備えたことを特徴とする。
【００１１】
本発明に係る遠隔診断方法は、検査を診断医に依頼し、診断医が管理サーバから読影権を取得した検査に対して所定時間内に診断結果報告を前記管理サーバに返信しない場合に、前記検査を別の診断医に提示する遠隔診断方法であって、前記管理サーバに登録されている検査について診断医によって読影権が取得されているか否かを判断する第１の判断工程と、前記読影権が既に取得されている場合に前記読影権を取得してから所定時間以上経過しているか否かを判断する第２の判断工程と、前記所定時間以上経過していれば該当の診断医に対する前記読影権を取り消し、他の診断医が読影権を得られるように表示する処理工程とを備えたことを特徴とする。
【発明の効果】
【００１２】
本発明に係る遠隔診断装置及び診断方法によれば、診断医がＸ線画像を読影しないまま放置した場合であっても、所定時間を経過するとその読影権を取り消し、他の診断医が読影を行うことを可能にしたため、診断依頼者に確実に診断結果報告を返信することができる。
【発明を実施するための最良の形態】
【００１３】
本発明を図示の実施例に基づいて詳細に説明する。
【実施例１】
【００１４】
図１は実施例１の構成図を示しており、検査センタ等の診断依頼施設１では、撮影装置２、診断依頼を行うための診断依頼端末３、撮影装置２で撮影した診断画像、検査情報、患者情報等を記録する患者情報データベース４を有しており、データベース４には患者の受付時に登録した患者情報が格納されており、撮影装置２と診断依頼端末３に接続されていている。
【００１５】
診断依頼端末３はＬＡＮやインターネット等のネットワークを介して管理サーバ５に接続されている。管理サーバ５は登録している診断医のデータを管理する診断医データベース、患者情報、画像情報を含む診断依頼施設１から送信された診断依頼票内の情報から構成されるオーダ管理データベース、検診データを管理する検診情報データベースを有している。
【００１６】
また管理サーバ５には、遠隔地の診断医Ａ、Ｂ、Ｃに対する診断医用端末６Ａ、６Ｂ、６Ｃが接続されている。この管理サーバ５は診断依頼施設１の施設内にあってもよいが、診断依頼施設１とは別の場所にあって、インターネット等の公共のネットワークでアクセス可能な施設であってもよい。
【００１７】
診断医Ａ、Ｂ、Ｃはそれぞれ診断医用端末６Ａ、６Ｂ、６Ｃを使用して、ネットワークを介して管理サーバ５にアクセスすることにより、図２に示すような登録されている検査の検査リスト画面１１を参照することができる。この検査リスト画面１１には、検査リスト１２、読影権取得釦１３、表示釦１４が表示されている。
【００１８】
診断医用端末６では、電子署名、或いはパスワード等により本人であることを確認することにより、複数の診断医が例えば１台の診断医用端末６を共有して使うことも可能である。また、診断に使用するアプリケーションをウェブベースとして標準のブラウザを用いて、依頼、閲覧、診断報告等の必要な操作をすることにより、診断医用端末６の種類やＯＳに関係なく、何れの診断医用端末６からでも依頼された診断を処理することができる。
【００１９】
図３は診断医が閲覧する検査リストの作成手順のフローチャート図を示している。なお、このフローチャート図は管理サーバ５に登録されている複数画像のうちの１枚に対する処理を示したものであるが、実際には管理サーバ５に登録されている全ての画像に対して判断される。
【００２０】
先ず、ステップＳ１０１において、管理サーバ５に登録されている検査について、診断医によって読影権が取得されているか否かを判断し、読影権が取得されていない検査であれば、ステップＳ１０２に進み検査リストに表示し、読影権が既に取得されている場合にはステップＳ１０３に進む。
【００２１】
このステップＳ１０３において、読影権を取得してから所定時間以上経過しているか否かを判断し、所定時間以上経過していればステップＳ１０２に進み、該当の診断医に対する読影権を取り消し、他の診断医が読影権を得られるように検査リスト１２に表示する。逆に所定時間以上経過していなければステップＳ１０４に進み、検査リスト１２に表示しない。
【００２２】
例えば、現時刻が２００２年１２月２１日の１３時とし、上述のステップＳ１０３における所定時間を２４時間と設定した場合に、管理サーバ５に存在する図４に示す３つの検査を処理する方法を説明する。ただし、図４においては診断医が読影権を取得していない検査に関しては、診断医名と取得日時の情報を空欄とし、診断医が読影権を取得済みの検査に関しては、読影権取得者名と読影権取得日時を記載している。また、一旦読影権が取得された検査に対して、それを取り消し再度別の診断医が読影権を取得した場合には、後から取得した読影権取得者名と読影権取得日時の情報を更新される。
【００２３】
図４における検査番号１００の画像は、読影権取得日時が記載されていないため、読影権が取得されていないとして検査リスト１２に表示する。検査番号１５０の画像については、読影権取得日時から現時刻まで２４時間経過していないので、検査リスト１２に表示しない。検査番号２００の画像については、読影権取得日時から現時刻まで２４時間以上経過しているため、検査リスト１２に表示する。
【００２４】
診断医は検査リスト画面１１の診断を希望する検査番号を選択し、読影権取得釦１３をクリックすることにより読影権を取得し、その後に表示釦１４をクリックすると、診断すべき画像が表示されるので、この画像を基に診断し、診断結果報告を管理サーバ５に送信する。
【００２５】
図５は管理サーバ５が診断結果報告を受信した後の処理のフローチャート図を示している。ステップＳ２０１において、管理サーバ５内に診断結果報告を受信している検査番号があるか否かを検索し、存在しない場合には終了する。
【００２６】
診断結果報告を受信している検査番号が存在する場合には、ステップＳ２０２に進み診断結果報告を診断依頼施設１に転送する。次に、ステップＳ２０３において、診断依頼施設１に課金した後に、ステップＳ２０４において管理サーバ５内の該当する検査記録を削除する。次に、ステップＳ２０５において診断医に送金し処理を終了する。
【実施例２】
【００２７】
実施例２においては、診断医が読影権を取得してから所定時間を経過した場合には、読影権を自動的に取り消し、該当の診断医に通知する。
【００２８】
図６は検査リスト１２を作成する手順のフローチャート図であり、ステップＳ３０１において、管理サーバ５に登録されている検査について、診断医によって読影権が取得されているか否かを判断し、読影権が取得されていない検査であれば、ステップＳ３０２に進み検査リストに表示し処理を終了し、既に読影権が取得されている場合には、ステップＳ３０３に進む。
【００２９】
ステップＳ３０３においては、読影権を取得してから例えば所定時間の２４時間を経過しているか否かを判断し、所定時間以上経過していなければステップＳ３０５に進み、検査リスト１２には表示せずに処理を終了する。また、所定時間以上経過していればステップＳ３０４に進み、読影権利者である診断医に所定時間が経過したため、読影権を取り消した旨を通知した後に、ステップＳ３０２に進み検査リスト１２に表示し処理を終了する。
【００３０】
この取消通知は診断用端末６或いは電子メールや自動的に電話を掛けて権利を取り消す旨を伝えるテープの音声を出力してもよい。
【００３１】
本実施例２のように、診断医が所定時間内に診断結果報告を提出しないと、読影権が取り消すことは、診断医に診断結果報告の返信を促すことになる。また、読影権を取り消したことを診断医に通知するため、診断医も無駄な読影をしなくとも済む。
【図面の簡単な説明】
【００３２】
【図１】実施例１の構成図である。
【図２】検査リスト画面の説明図である。
【図３】検査リストの作成手順のフローチャート図である。
【図４】管理サーバ内に登録されている検査情報例の表である。
【図５】診断結果報告をサーバに返信した後の処理のフローチャート図である。
【図６】実施例２の検査リストの作成手順のフローチャート図である。
【符号の説明】
【００３３】
１  診断依頼施設
２  撮影装置
３  診断依頼端末
４  患者情報データベース
５  管理サーバ
６Ａ、６Ｂ、６Ｃ  診断医用端末
１１  検査リスト画面
１２  検査リスト
１３  読影権取得釦
１４  表示釦
Ａ、Ｂ、Ｃ  診断医
【図１】
2005165762.tif 000003
【図２】
2005165762.tif 000004
【図３】
2005165762.tif 000005
【図４】
2005165762.tif 000006
【図５】
2005165762.tif 000007
【図６】
2005165762.tif 000008